(57)【要約】【課題】緊急時などにゲート装置を通過できる人の人数を増やす。【解決手段】警報装置３００のスイッチ３０が押されてＯＮになると、警報装置３００は、制御部２０に警報信号Ｓ１を送る。これにより、制御部２０はモータ４、４を回転させ、ベルト３を走行させる。ベルト３が走行すると、これに取り付けられているゲート１００ａは駆動力が伝達されて、Ａ地点からＢ地点方向に移動する。このようにして右ゲート１００ａが移動することにより、右ゲート１００ａと左ゲート１００ｂで挟まれた通路が広がり、同時に通過できる人数が増える。【選択図】図５
2007293421.tif 000002
【特許請求の範囲】
【請求項１】
壁面が所定領域に面し、前記所定領域を挟むようにして対向して設置される第１、第２のパネル部材と、
前記第１、第２のパネル部材に設けられ、前記所定領域に交番磁界を発生する第１、第２の磁界発生手段と、
前記各交番磁界が所定値量以上変化したことを検知し、検知信号を出力する検知手段と、
警報信号の入力を受け付ける警報信号受信手段と、
前記第１または第２のパネル部材のうち少なくともいずれか一方を移動自在に支持するとともに、前記警報信号受信手段が前記警報信号を受信すると、前記第１、第２のパネル部材に挟まれている空間が広がるように駆動する制御手段と
を具備することを特徴とするゲート装置。
【請求項２】
センサと、
前記センサの所定の状態を検出したときに、前記警報信号を発生する警報信号発生手段と
を具備することを特徴とする請求項１に記載のゲート装置。
【請求項３】
操作者によって操作されるスイッチと、
前記スイッチがオンになったときに前記警報信号を発生する警報信号発生手段と
を具備することを特徴とする請求項１に記載のゲート装置。
【請求項４】
前記制御手段は、前記第１または第２のパネル部材のうち少なくともいずれか一方を支持するとともに走行可能な走行装置を有し、前記警報信号を受信すると前記走行装置を走行させて前記第１、第２のパネル部材間の距離が広がるように駆動する
ことを特徴とする請求項１から３のいずれかに記載のゲート装置。
【発明の詳細な説明】
【技術分野】
【０００１】
本発明は、磁性体を検知するゲート装置に関する。
【背景技術】
【０００２】
近年、ＣＤショップやドラッグストアなどにおいて、物品が店から持ち出されることを抑止するためのセキュリティシステムが設けられている。このセキュリティシステムは、店の出入り口の左右両端に左右の検知パネルを設け、磁性タグなどをつけた物品がこの検知パネルの間を通って店から持ち出されようとすると、検知パネルが磁性タグを検知して、警告などを行うものである。例えば、特許文献１および特許文献２では、磁性タグを用紙に付加し、この用紙が出入り口の左右両端に設けられたゲート装置の間を通ると、ゲート装置が磁性タグを検知して警告を行うようになっている。
【特許文献１】特開２００４−１１０６８９号公報
【特許文献２】特開２００４−１１０６９０号公報
【発明の開示】
【発明が解決しようとする課題】
【０００３】
ところで、上記特許文献において、ゲート装置の間を複数の人が同時に通過すると、ゲート装置が磁性タグを検知しても、磁性タグが付加された用紙を持ち出そうとした人を特定することができない。このため、左右両端に設けられたゲート間の距離を、同時に複数の人が通過できない距離に設定する必要がある。また、このゲート装置は、左右のゲートの間の幅を狭めると検知率が高くなるので、好適である。しかしながら、上述したようにゲート間の幅を狭めると、火事や地震、その他の緊急時など、複数の人が同時にゲート間を通る必要がある場合には安全面において問題があった。
【０００４】
本発明は上記事情に鑑みてなされたものであり、火事や地震、その他の緊急時などにおいて、ゲート装置の間を同時に複数の人が通過することができ、安全を確保することができるゲート装置を提供する。
【課題を解決するための手段】
【０００５】
上述した課題を解決するために本発明は、壁面が所定領域に面し、前記所定領域を挟むようにして対向して設置される第１、第２のパネル部材と、前記第１、第２のパネル部材に設けられ、前記所定領域に交番磁界を発生する第１、第２の磁界発生手段と、前記各交番磁界が所定値量以上変化したことを検知し、検知信号を出力する検知手段と、警報信号の入力を受け付ける警報信号受信手段と、前記第１または第２のパネル部材のうち少なくともいずれか一方を移動自在に支持するとともに、前記警報信号受信手段が前記警報信号を受信すると、前記第１、第２のパネル部材に挟まれている空間が広がるように駆動する制御手段とを具備するゲート装置を提供する。
【０００６】
また、より望ましい態様においては、センサと、前記センサの所定の状態を検出したときに、前記警報信号を発生する警報信号発生手段とを具備してもよい。
また、操作者によって操作されるスイッチと、前記スイッチがオンになったときに前記警報信号を発生する警報信号発生手段とを具備してもよい。
さらに望ましい様態においては、また、前記制御手段は、前記第１または第２のパネル部材のうち少なくともいずれか一方を支持するとともに走行可能な走行装置を有し、前記警報信号を受信すると前記走行装置を走行させて前記第１、第２のパネル部材間の距離が広がるように駆動してもよい。
【発明の効果】
【０００７】
本発明によれば、緊急時などには、ゲート装置の左右のゲート間を同時に複数の人が通過することができる。
【発明を実施するための最良の形態】
【０００８】
以下、本発明に関する一実施形態について説明する。
＜１．構成＞
図１は、本発明の一実施形態であるゲート装置１００が設置された保管室１を示す平面図である。保管室１の周囲は壁に囲まれており、この壁の外側は、例えば廊下になっている。この保管室１の中には、書類等がキャビネット５００に保管されている。
【０００９】
キャビネット５００の中に保管されている書類は、複写機等によって文章や画像が印刷された印刷物であり、一般的な用紙に印刷された印刷物Ｐ０と、一般的な用紙の中に磁性体ワイヤ１０が付加された用紙Ｐ１’に印刷された磁性体付印刷物Ｐ１とがある。なお、本実施形態において、用紙Ｐ１’は、磁性体ワイヤ１０が付加されていない通常の用紙よりも重要度が高い文章や書類の記録に使用されるものとする。
保管室１内にいる利用者は、磁性体付印刷物Ｐ１やその他の印刷物Ｐ０をキャビネット５００から取り出して、自由に持ち歩けるようになっている。
【００１０】
次に、上述した磁性体付印刷物Ｐ１に付加されている磁性体ワイヤ１０について説明する。磁性体ワイヤ１０は、Ｃｏ−Ｆｅ系あるいはＦｅ−Ｂ系の非晶質金属材料などで形成されている。この磁性体ワイヤ１０は、外部磁界が加えられると、磁化されて、その周囲に磁力線を発する。ここで、外部磁界が交番磁界である場合、磁性体ワイヤ１０は、交番磁界の変化に合わせて、急峻な磁化反転を起こす（この現象を、大バルクハウゼン効果という）。
【００１１】
図１に戻り、保管室１の壁の一部には間隙があり、この間隙にはドア４００が設けられている。このドア４００は、左右に開閉自在の２枚の板状部材で構成され、その近傍には制御部４０が備えられている。この制御部４０は、ドア４００と接続されており、ドア４００を開閉駆動する。また、制御部４０には、後述するゲート装置１００と警報装置３００とが接続されており、このゲート装置１００または警報装置３００から送信される信号を契機に、制御部４０はドア４００を駆動する。保管室１内の利用者は、ドア４００が開いた状態において、保管室１から室外に退出できるようになっている。
【００１２】
保管室１のドア４００の近傍には補助ゲート２００が設けられている。この補助ゲート２００は、右補助ゲート２００ａと左補助ゲート２００ｂとの２枚のパネル部材で構成されている。図１に示すように、右補助ゲート２００ａと左補助ゲート２００ｂで挟まれた空間は、室内からドア４００に向かう通路を形成している。
【００１３】
ゲート装置１００は、上述した補助ゲート２００と同様に、右ゲート１００ａと左ゲート１００ｂの対向した２枚のパネル部材で構成されている。図１に示すように、右ゲート１００ａは、右補助ゲート２００ａに連なるように設けられ、左ゲート１００ｂは、左補助ゲート２００ｂに連なるように設けられている。これにより、右ゲート１００ａと左ゲート１００ｂとに挟まれた領域（以下、ゲート装置１００間）には通路が形成される。この結果、保管室１内からドア４００を介して室外に退出する利用者は、必ずこのゲート装置１００間および補助ゲート２００間を通るようになっている。
【００１４】
なお、ゲート装置１００間の距離は、一人しか通過できない距離、例えば７０ｃｍになるように設定されている。また、ゲート装置１００間の距離は、補助ゲート２００間の距離よりも短くなっている。
【００１５】
次に、左ゲート１００ｂの詳細な構成について説明する。図２は、左ゲート１００ｂの構成を示す断面図である。左ゲート１００ｂは、図２に示すように、その内部に励磁コイル１１と検知コイル１２とを有する。励磁コイル１１は、図２に示すように、左側面ゲート１００ｂの周縁近傍に沿って巻回されており、電流波形形成器１３から励磁電流が供給されるようになっている。
【００１６】
検知コイル１２は、上述した励磁コイル１１が形成しているループの内部に巻回されている。この検知コイル１２には、検出器１４が接続されており、この検出器１４は、検知コイル１２に流れる電流を検知し、その電流の変化から磁性体ワイヤ１０の有無を検知する。また、検出器１４は、磁性体ワイヤ１０を検知すると制御部４０に検知信号Ｓ２を送るようになっている。
【００１７】
次に、右ゲート１００ａの詳細な構成について説明する。図３は、右ゲート１００ａの構成を示す断面図である。右ゲート１００ａは、上述した左ゲート１００ｂと同様に、励磁コイル１１と検知コイル１２と電流波形形成器１３と検出器１４とを備えるが、左ゲート１００ｂと異なり、底面の左右両端に２つの車輪部１５を有する。この車輪部１５は、その車軸（図示略）が右側面ゲート１００ａの幅方向に延びるように設けられており、この車軸を中心に回転可能になっている。
【００１８】
図５は、左ゲート１００ｂと右ゲート１００ａを上方から見た図であり、同図に示す右ゲート１００ａの右側には、右ゲート１００ａを走行させるための走行機構が設けられている。
３、３は、床面に設置された環状のベルトであり、各々右ゲート１００ａの壁面に対して垂直方向に延びている。ベルト３、３は、ローラーに張設された状態で時計方向および反時計方向に適宜走行し得るようになっている。ここで、図４に示す５、５は、ベルト３、３を張設しているローラーの一つであり、右ゲート１００ａの下端の幅方向外方に設けられている。
【００１９】
ローラー５、５は、各々モータ４、４の回転軸に取り付けられ、モータ４、４の駆動力によって回転する。なお、ベルト３、３を張設している他方のローラーについて図示省略する。
モータ４、４は、制御部２０によって左右の回転および停止が制御されるようになっている。制御部２０は警報装置３００（図１参照）から警報信号Ｓ１の送信を受けると、モータ４、４の駆動を開始するようになっている。
【００２０】
次に、右ゲート１００ａの底面の左右両縁部には、外方に延びる結合部１６が設けられており、この結合部１６はベルト３に結合されている。これにより、モータ４、４が駆動されて、ベルト３、３が走行すると、その走行方向に応じて右ゲート１００ａは壁面に垂直な方向に前後動する。
【００２１】
右ゲート１００ａの車輪部１５と床面が接触する位置には、図４に示すように、上方が開放した断面コ字状のガイド２が設けられている。このガイド２は、上述したベルト３と平行に設けられており、このガイド２に沿って車輪部１５が走行するようになっている。
【００２２】
図５に戻り、ガイド２、２のＢ地点付近には、センサ６が設けられている。このセンサ６は、光センサあるいは磁気センサによって構成され、右ゲート１００ａを検出する。センサ６の出力信号は、停止信号Ｓ３として制御部２０に供給されるようになっている。
【００２３】
次に、警報装置３００は図１に示すように、保管室１の壁面などに設けられており、その前面パネルにはスイッチ３０が設けられている。警報装置３００は、このスイッチ３０が押されてＯＮになると、上述したドア４００の制御部４０と制御部２０とに警報信号Ｓ１を送るようになっている。
【００２４】
＜１−２．動作＞
次に、第１実施形態の動作について説明する。まず、保管室１内にいる利用者により、キャビネット５００に収納されている磁性体付印刷物Ｐ１が取り出され、保管室１から持ち出される際の動作について説明する。
【００２５】
ゲート装置１００の電流波形形成器１３は励磁コイル１１に励磁電流を流しているため、ゲート装置１００の間には常時交番磁界が発生している。ここで、利用者が磁性体付印刷物Ｐ１を持ったまま、ゲート装置１００の間に来ると、ゲート装置１００の間の交番磁界によって、磁性体付印刷物Ｐ１に付加された磁性体ワイヤ１０に急峻な磁化反転が起きる。これにより、ゲート装置１００内の検知コイル１２を貫通する磁束が変化し、電流が流れる。検出器１４はこの電流を検知し、検知した電流の波形から磁性体ワイヤ１０を検知し、制御部４０に検知信号Ｓ２を出力する。
【００２６】
制御部４０は、検出器１４から検知信号Ｓ２が送られると、ドア４００を閉じる方向に駆動させる。この時、ゲート装置１００を通過した利用者は、磁性体付印刷物Ｐ１を持ったまま補助ゲート２００の間を通っている。この補助ゲート２００の通路方向の長さは、利用者が補助ゲート２００の間を通っている間に、検出器１４から検知信号Ｓ２を受けた制御部４０がドア４００を閉め終わるような長さに設定されている。また、ドア４００は自動ドアであるため、電磁波が発生されるが、この電磁波がゲート装置１００の動作に影響を与えないように、ドア４００とゲート装置１００とを離間させる必要があるが、補助ゲート２００の通路方向の長さは、このような事情も考慮して設定されている。
【００２７】
次に、緊急の事態などが起こり、保管室１内に設置されている警報装置３００のスイッチ３０が押された場合の動作について説明する。
保管室１内にいる利用者や係員などにより、警報装置３００のスイッチ３０が押されてＯＮになると、警報装置３００は、制御部４０と制御部２０とに警報信号Ｓ１を送る。制御部２０は、警報装置３００から警報信号Ｓ１が送られると、モータ４、４を駆動する。この時のモータ４、４の回転方向は、右ゲート１００ａがＢ地点に向かう方向である。
【００２８】
この結果、右ゲート１００ａと左ゲート１００ｂの間の距離は広がってゆく。そして、右ゲート１００ａが図５に示すＢ地点付近まで移動し、センサ６によって検出されると、センサ６が停止信号Ｓ３を出力する。制御部２０は、センサ６から停止信号Ｓ３が送られると、モータ４、４を停止する。これにより、右ゲート１００ａがＢ地点で停止する。
一方、制御部４０は、警報装置３００から警報信号Ｓ１が送られると、ドア４００を開ける方向に駆動する。
【００２９】
上述した制御部２０および制御部４０の動作によって、警報装置３００のスイッチ３０が押されると、右ゲート１００ａがＢ地点に移動して、ゲート装置１００間の距離を広げるとともに、ドア４００が開放状態になる。
この結果、複数の人が同時にゲート装置１００の間を通ることができ、ドア４００を介して室外に出ることができる。
一方、緊急状態が解除され、警報装置３００のスイッチがオフされると、警報信号Ｓ１が停止し、これにより、制御部２０はモータ４、４を逆回転させて、右ゲート１００ａを元の位置（Ａ地点）に戻す。この状態においては、ゲート装置１００は、磁性体付印刷物Ｐ１を検出可能な状態になる。
【００３０】
＜２．変形例＞
以上、本発明の実施形態について説明したが、本発明は上述した実施形態に限定されることなく、他の様々な形態で実施可能である。
（１）上述した実施形態では、右ゲート１００ａを環状のベルトの駆動によって移動させたが、車輪部１５自体を自走可能に構成し、これによって右ゲート１００ａを移動させてもよい。
また、例えば、床面ではなく天井面にベルト３とローラー５を設け、右ゲート１００ａを天井のベルト３から吊るように構成してもよい。また、左ゲート１００ｂについても、同様の方法で駆動するようにしてもよい。
【００３１】
さらに、ローラー５とモータ４とを図６に示すＢ地点に備え、ローラー５と右ゲート１００ａとをケーブルなどで接続し、モータ４に取り付けられたローラー５によってケーブルを巻き取るようにして、右ゲート１００ａを移動させてもよい。
この場合、図７に示すように、右ゲート１００ａを床面から支える支持部を設け、この支持部にケーブルを接続してもよい。このような構成においては、モータ４が駆動されてケーブルが巻き取られると、支持部が外れて右ゲート１００ａがＢ地点方向に回動して倒れ、通路が広がる。この時、左ゲート１００ｂにも右ゲート１００ａと同様の構成にし、同様の方法で倒すようにすると好適である。
要するに、非常事態が発生した場合には、右ゲート１００ａと左ゲート１００ｂによって挟まれている空間が広がるように、右ゲート１００ａおよび左ゲート１００ｂの少なくともいずれか一方が移動すればよい。
【００３２】
（２）上述した実施形態では、警報装置３００はスイッチ３０が押されてＯＮになることにより、制御部４０と制御部２０に警報信号Ｓ１を送るようにしたが、火災報知器のようなセンサを設け、センサが一定状態を検出したときに、警報信号Ｓ１を出力するように構成してもよい。また、警報装置３００を管理センターなどに設け、管理センターからの指示で警報信号Ｓ１を出力してもよい。
【００３３】
（３）上述した実施形態では、設置位置が固定された補助ゲート２００を備えたが、例えば、右補助ゲート２００ａと右ゲート１００ａとを連動させ、右ゲート１００ａが動くと右補助ゲート２００ａも同時に動くようにしてもよい。さらに、ゲート装置１００と補助ゲート２００とを一体化させてもよい。
【図面の簡単な説明】
【００３４】
【図１】本発明の第１実施形態であるゲート装置１００が設置された保管室１を示す平面図である。
【図２】同実施形態に係る左ゲート１００ｂの構成を示す断面図である。
【図３】同実施形態に係る右ゲート１００ａの構成を示す断面図である。
【図４】同実施形態に係る右ゲート１００ａの構成を示す断面図である。
【図５】同実施形態に係るゲート装置１００の構成を示す平面図である。
【図６】本発明の変形例に係るゲート装置１００の構成を示す平面図である。
【図７】本発明の変形例に係るゲート装置１００の構成を示す側面図である。
【符号の説明】
【００３５】
１…保管室、２…ガイド、３…ベルト、４…モータ、５…ローラー、６…センサ、１０…磁性体ワイヤ、１１…励磁コイル、１２…検知コイル、１３…電流波形形成器、１４…検出器、１５…車輪部、１６…結合部、２０、４０…制御部、３０…スイッチ、１００…ゲート装置、１００ａ…右ゲート、１００ｂ…左ゲート、２００…補助ゲート、２００ａ…右補助ゲート、２００ｂ…左補助ゲート、３００…警報装置、４００…ドア、５００…キャビネット。
【図１】
2007293421.tif 000003
【図２】
2007293421.tif 000004
【図３】
2007293421.tif 000005
【図４】
2007293421.tif 000006
【図５】
2007293421.tif 000007
【図６】
2007293421.tif 000008
【図７】
2007293421.tif 000009